(57)【要約】【課題】ユーザの意図に応じた無線給電を適切に行うことができる給電方法を提供する。【解決手段】無線給電システム２００は、ユーザの操作によって設定される実行許可情報に基づいて送電装置１０１から、新たに検知された受電装置１０２への無線給電の実行を制御する。【選択図】図３
2017022794.tif 000002
【特許請求の範囲】
【請求項１】
ユーザの操作に基づいて送電装置から複数の受電装置に無線給電を行う給電方法であって、
各前記受電装置を検知する検知ステップと、
前記送電装置から、前記検知ステップで新たに検知された受電装置への前記無線給電の実行を許可するか否かを示す実行許可情報に基づいて前記送電装置から前記新たに検知された受電装置への前記無線給電の実行を制御する無線給電制御ステップとを備え、
前記実行許可情報は、前記ユーザの操作によって設定されることを特徴とする給電方法。
【請求項２】
前記送電装置からの前記無線給電の実行が許可される受電装置の数を設定する受電装置数設定ステップを更に備え、
前記無線給電制御ステップは、前記設定された受電装置の数及び前記実行許可情報に基づいて前記送電装置から前記新たに検知された受電装置への前記無線給電の実行を制御することを特徴とする請求項１記載の給電方法。
【請求項３】
前記受電装置の数は前記ユーザの操作によって設定されることを特徴とする請求項２記載の給電方法。
【請求項４】
前記実行許可情報に前記送電装置から前記新たに検知された受電装置への前記無線給電の実行を許可しないことが設定された場合、前記送電装置から前記受電装置への前記無線給電の実行中に他の受電装置を新たに検知すると、前記無線給電制御ステップは、前記送電装置から前記受電装置への前記無線給電の実行が完了した後に前記新たに検知された他の受電装置への前記無線給電の実行を開始することを特徴とする請求項１乃至３のいずれか１項に記載の給電方法。
【請求項５】
前記新たに検知された他の受電装置への前記無線給電の実行の開始期間に関する通知を行う通知ステップを更に備えることを特徴とする請求項４記載の給電方法。
【請求項６】
ユーザの操作に基づいて送電装置から複数の受電装置に無線給電を行う給電方法をコンピュータに実行させるプログラムであって、
前記給電方法は、
各前記受電装置を検知する検知ステップと、
前記送電装置から前記検知ステップで新たに検知された受電装置への前記無線給電の実行を許可するか否かを示す実行許可情報に基づいて前記送電装置から前記新たに検知された受電装置への前記無線給電の実行を制御する無線給電制御ステップとを備え、
前記実行許可情報は、前記ユーザの操作によって設定されることを特徴とするプログラム。
【請求項７】
ユーザの操作に基づいて複数の受電装置に無線給電を行う給電装置であって、
各前記受電装置を検知する検知手段と、
前記検知手段によって新たに検知された受電装置への前記無線給電の実行を許可するか否かを示す実行許可情報に基づいて前記新たに検知された受電装置への前記無線給電の実行を制御する無線給電制御手段とを備え、
前記実行許可情報は、前記ユーザの操作によって設定されることを特徴とする給電装置。
【請求項８】
前記無線給電の実行が許可される受電装置の数を設定する受電装置数設定手段を更に備え、
前記無線給電制御手段は、前記設定された受電装置の数及び前記実行許可情報に基づいて前記新たに検知された受電装置への前記無線給電の実行を制御することを特徴とする請求項７記載の給電装置。
【請求項９】
前記受電装置の数は前記ユーザの操作によって設定されることを特徴とする請求項８記載の給電装置。
【請求項１０】
前記実行許可情報に前記新たに検知された受電装置への前記無線給電の実行を許可しないことが設定された場合、前記受電装置への前記無線給電の実行中に他の受電装置を新たに検知すると、前記無線給電制御手段は、前記受電装置への前記無線給電の実行が完了した後に前記新たに検知された他の受電装置への前記無線給電の実行を開始することを特徴とする請求項７乃至９のいずれか１項に記載の給電装置。
【請求項１１】
前記新たに検知された他の受電装置への前記無線給電の実行の開始期間に関する通知を行う通知手段を更に備えることを特徴とする請求項１０記載の給電装置。
【発明の詳細な説明】
【技術分野】
【０００１】
本発明は、給電方法、プログラム、及び給電装置に関し、特に、無線給電を行う給電方法、プログラム、及び給電装置に関する。
【背景技術】
【０００２】
送電装置及び受電装置を互いに近付けるだけで送電装置から受電装置に無線給電を行う給電システムが知られている。この給電システムでは、電磁誘導方式、磁界共鳴方式、電界結合方式、及び電波受信方式等の給電方法が用いられる。中でも、比較的遠くの受電装置にまで所望の電力を供給可能な磁界共鳴方式が注目されている。磁界共鳴方式では、受電するための共振回路を備える受電装置と、送電するための少なくとも１つの共振回路を備える送電装置とが用いられ、上記各共振回路はコンデンサ及びコイルを備える。磁界共鳴方式では、受電装置の共振回路の共振周波数と送電装置の共振回路の共振周波数とを互いに一致させて共鳴磁場を形成し、該共鳴磁場によって送電装置から受電装置に送電する。磁界共鳴方式は、例えば、複数の受電装置が存在する場合、送電装置の共振回路の共振周波数と給電先として所望する受電装置の共振回路の共振周波数とを一致させることにより、所望の受電装置にのみ送電可能である（例えば、特許文献１参照）。また、磁界共鳴方式では、複数の受電装置の共振回路の共振周波数が同じである場合、１つの送電装置から複数の受電装置に同時に送電可能である（例えば、特許文献２参照）。
【先行技術文献】
【特許文献】
【０００３】
【特許文献１】特開２０１０−０６３２４５号公報
【特許文献２】特開２００９−１３６１３２号公報
【発明の概要】
【発明が解決しようとする課題】
【０００４】
しかしながら、給電システムにおいて、送電装置から複数の受電装置に同時に送電すると、送電装置から送電可能な総電力量が各受電装置に分配され、送電装置から各受電装置に送電される電力量が不足する。その結果、各受電装置の充電が完了するまでに必要以上に時間を要してしまう。つまり、急いで受電装置の充電を行いたいユーザにとって好ましくない状況が生じる。一方、給電システムにおいて、送電装置から所望の受電装置へ送電される電力量が不足しないように、送電装置の共振回路の共振周波数を調整して送電装置から特定の受電装置のみに送電することが考えられるが、この場合、複数の受電装置に同時に充電することができない。つまり、充電時間を要しても複数の受電装置の充電を同時に行いたいユーザにとって好ましくない状況が生じる。すなわち、従来の給電システムでは、ユーザの意図に応じた無線給電を適切に行うことができないという問題が生じる。
【０００５】
本発明の目的は、ユーザの意図に応じた無線給電を適切に行うことができる給電方法、プログラム、及び給電装置を提供することにある。
【課題を解決するための手段】
【０００６】
上記目的を達成するために、本発明の給電方法は、ユーザの操作に基づいて送電装置から複数の受電装置に無線給電を行う給電方法であって、各前記受電装置を検知する検知ステップと、前記送電装置から、前記検知ステップで新たに検知された受電装置への前記無線給電の実行を許可するか否かを示す実行許可情報に基づいて前記送電装置から前記新たに検知された受電装置への前記無線給電の実行を制御する無線給電制御ステップとを備え、前記実行許可情報は、前記ユーザの操作によって設定されることを特徴とする。
【発明の効果】
【０００７】
本発明によれば、ユーザの意図に応じた無線給電を適切に行うことができる。
【図面の簡単な説明】
【０００８】
【図１】本発明の実施の形態に係る送電装置に受電装置が配置された場合を示す概念図である。
【図２】図１における送電装置を含む無線給電システムの構成を概略的に示すブロック図である。
【図３】図１の送電装置で実行される送電処理の手順を示すフローチャートである。
【図４】図２における表示操作部で表示される設定メニューの一例を示す図である。
【図５】図１の受電装置で実行される受電処理の手順を示すフローチャートである。
【図６】図２における表示操作部で表示される台数設定メニューの一例を示す図である。
【発明を実施するための形態】
【０００９】
以下、本発明の実施の形態を図面を参照しながら詳述する。
【００１０】
本実施の形態では、磁界共鳴方式を用いた無線給電を行う給電装置としての送電装置に本発明を適用した場合について説明するが、本発明の適用先は磁界共鳴方式を用いた無線給電を行う送電装置に限られず、複数の受電装置に無線給電可能な送電装置であれば本発明を適用することができる。
【００１１】
図１は、本発明の実施の形態に係る送電装置１０１に受電装置１０２，１０３の各々が配置された場合を示す概念図である。
【００１２】
図１において、送電装置１０１上に受電装置１０２，１０３が夫々配置されている。
【００１３】
送電装置１０１は当該送電装置１０１が送電可能な範囲に配置された複数の受電装置に無線給電可能である。送電装置１０１は当該送電装置１０１が送電可能な範囲に配置された受電装置、例えば、受電装置１０２，１０３の各々に同時に無線給電可能である。また、送電装置１０１は当該受電装置１０２，１０３のうち特定の受電装置、例えば、受電装置１０２のみに無線給電可能である。
【００１４】
次に、送電装置１０１及び受電装置１０２，１０３の各々の構成について説明する。本実施の形態では、受電装置１０２，１０３は同様の構成を有するため、以下、一例として、受電装置１０２を用いて説明する。
【００１５】
図２は、図１における送電装置１０１を含む無線給電システム２００の構成を概略的に示すブロック図である。
【００１６】
図２において、無線給電システム２００は送電装置１０１及び受電装置１０２を備える。送電装置１０１は、電源部２０１及び給電部２０２を備え、電源部２０１及び給電部２０２は互いに接続されている。給電部２０２は、送電制御部２０３、ＲＯＭ２０４、ＲＡＭ２０５、電力伝送部２０６、給電アンテナ部２０７、送電通信部２０８、表示操作部２０９、及びタイマ２１０を備える。送電制御部２０３は、ＲＯＭ２０４、ＲＡＭ２０５、電力伝送部２０６、送電通信部２０８、表示操作部２０９、及びタイマ２１０と夫々接続され、給電アンテナ部２０７は電力伝送部２０６と接続されている。受電装置１０２は、受電制御部２１１、ＲＯＭ２１２、ＲＡＭ２１３、受電アンテナ部２１４、無線受電制御部２１５、受電通信部２１６、表示操作部２１７、タイマ２１８、レギュレータ２１９、電池２２０、及び充電制御部２２１を備える。受電制御部２１１は、ＲＯＭ２１２、ＲＡＭ２１３、無線受電制御部２１５、受電通信部２１６、表示操作部２１７、タイマ２１８、及び充電制御部２２１と夫々接続されている。無線受電制御部２１５は受電アンテナ部２１４及びレギュレータ２１９と夫々接続され、充電制御部２２１はレギュレータ２１９及び電池２２０と夫々接続されている。
【００１７】
送電装置１０１は、送電先となる受電装置との間でデータ通信可能であり、無線給電を行う際に用いられる各種情報の通信を行う。本実施の形態では、例えば、送電先となる受電装置から当該受電装置の充電状態を示す情報を含む充電情報等を取得する。受電装置１０２は、スマートフォン、タブレット型ＰＣ、ラップトップ型ＰＣ等を含み、送電装置１０１から送電された電力を受電し、受電された電力を充電する。
【００１８】
電源部２０１は家庭用のコンセント等から供給された電力を給電部２０２に供給する。給電部２０２は各受電装置への無線給電処理を制御する。送電制御部２０３は送電装置１０１全体を統括的に制御する。送電制御部２０３は、ＲＯＭ２０４に格納された各種プログラムをＲＡＭ２０５に展開し、展開された各種プログラムを実行して各種制御を行う。ＲＯＭ２０４は、不揮発性のメモリであり、送電制御部２０３によって用いられる各種プログラムや送電装置１０１の各種設定データ等を格納する。本実施の形態では、ＲＯＭ２０４は、後述する図４の設定メニュー４００でユーザによって設定された、複数の受電装置への同時充電の実行を許可するか否かを示す実行許可情報を格納する。また、ＲＯＭ２０４は、後述する図３の送電処理で用いられる閾値を格納する。ＲＡＭ２０５は、揮発性メモリであり、送電制御部２０３の作業領域及び送電制御部２０３の一時格納領域として用いられる。電力伝送部２０６は給電アンテナ部２０７からの送電を制御する。給電アンテナ部２０７は送電するための図示しない少なくとも１つの共振回路を備え、共振回路は図示しないコンデンサ及びコイルを備える。無線給電システム２００では、給電アンテナ部２０７の共振回路の共振周波数と送電先、例えば、受電装置１０２の受電アンテナ部２１４の後述する共振回路の共振周波数とを互いに一致させて共鳴磁場を形成する。形成された共鳴磁場によって送電装置１０１が受電装置１０２に送電する。これにより、送電装置１０１から受電装置１０２に当該受電装置１０２の受電通信部２１６を駆動するための電力（以下、「駆動用電力」という。）、及び受電装置１０２を充電するための電力（以下、「受電用電力」という。）が夫々送電される。
【００１９】
送電通信部２０８は送電先である受電装置１０２と無線通信によってデータ通信を行う。無線通信は、無線ＬＡＮ通信、Ｂｌｕｅｔｏｏｔｈ通信、Ｂｌｕｅｔｏｏｔｈ  Ｌｏｗ  Ｅｎｅｒｇｙ通信等を含む。本実施の形態では、送電通信部２０８は、受電装置１０２から当該受電装置１０２の充電情報を含む各種情報を取得する。表示操作部２０９は、ユーザインターフェースであり、送電装置１０１の各種設定を操作可能である。本実施の形態では、後述する図４の設定メニュー４００を用いて実行許可情報をユーザが設定可能である。また、表示操作部２０９は、送電装置１０１に関する各種情報や無線給電中の各受電装置から取得された各種情報を表示可能である。タイマ２１０は送電装置１０１の通信の実行時間等を計測する。
【００２０】
受電制御部２１１は受電装置１０２全体を統括的に制御する。受電制御部２１１は、ＲＯＭ２１２に格納された各種プログラムをＲＡＭ２１３に展開し、展開された各種プログラムを実行して各種制御を行う。ＲＯＭ２１２は、不揮発性のメモリであり、受電制御部２１１によって用いられる各種プログラムや受電装置１０２の各種設定データ等を格納する。ＲＡＭ２１３は、揮発性メモリであり、受電制御部２１１の作業領域及び受電制御部２１１の一時格納領域として用いられる。受電アンテナ部２１４は受電するための図示しない共振回路を備え、共振回路は図示しないコンデンサ及びコイルを備える。受電アンテナ部２１４は給電アンテナ部２０７から送電された電力を受電する。無線受電制御部２１５は、受電された電力を直流電力に変換し、変換された直流電力をレギュレータ２１９に出力する。また、無線受電制御部２１５は受電された電力量を測定し、測定結果を受電制御部２１１に送信する。受電通信部２１６は送電装置１０１と無線通信によってデータ通信を行う。表示操作部２１７は、ユーザインターフェースであり、受電装置１０２の各種設定を操作可能である。また、表示操作部２０９は受電装置１０２の各種情報を表示可能である。タイマ２１８は受電装置１０２の通信の実行時間等を計測する。
【００２１】
レギュレータ２１９は無線受電制御部２１５から出力される直流電力に対応する電圧、又は電池２２０から供給される電圧のうちいずれか一方が受電制御部２１１で設定された電圧になるように制御する。電池２２０は充電可能な二次電池である。充電制御部２２１は、受電アンテナ部２１４で受電すると、受電アンテナ部２１４で受電された電力を電池２２０に定電圧定電流方式を用いて充電する。また、充電制御部２２１は、電池２２０の充電状態を定期的に計測し、計測結果を受電制御部２１１に送信する。計測結果は充電情報としてＲＡＭ２１３に格納される。
【００２２】
次に、図２における無線給電システム２００で実行される送電処理及び受電処理について説明する。なお、本実施の形態では、一例として、送電装置１０１から受電装置１０３に無線給電中、受電装置１０２から無線給電の実行の要求が行われた場合を前提とする。
【００２３】
図３は、図１の送電装置１０１で実行される送電処理の手順を示すフローチャートである。
【００２４】
図３の処理は、送電制御部２０３がＲＯＭ２０４に格納された各種プログラムを実行することによって行われる。
【００２５】
無線給電において、送電装置１０１から複数の受電装置、例えば、受電装置１０２，１０３の各々に同時に送電すると、送電装置１０１から送電可能な総電力量が各受電装置１０２，１０３に分配される。そのため、送電装置１０１から各受電装置１０２，１０３に送電される電力量が不足し、各受電装置１０２，１０３の充電が完了するまでに必要以上に時間を要してしまう。つまり、急いで特定の受電装置、例えば、受電装置１０２のみの充電を行いたいユーザにとって好ましくない状況が生じる。一方、無線給電において、送電装置１０１から所望の受電装置１０２へ送電される電力量が不足しないように、送電装置１０１の共振回路の共振周波数を調整して送電装置１０１から受電装置１０２のみに送電することが考えられるが、この場合、受電装置１０３を同時に充電することができない。つまり、充電時間を要しても受電装置１０２，１０３の充電を同時に行いたいユーザにとって好ましくない状況が生じる。すなわち、従来の無線給電システムでは、ユーザの意図に応じた無線給電を適切に行うことができないという問題が生じる。
【００２６】
これに対応して、本実施の形態では、ユーザの操作によって設定される実行許可情報に基づいて送電装置１０１から、新たに検知された受電装置１０２への無線給電の実行が制御される。
【００２７】
図３において、まず、送電制御部２０３は、送電先の受電装置を検知するために、当該受電装置が応答通知を送信するための駆動用電力を送電する（ステップＳ３０１）。駆動用電力は送電装置１０１から一定の間隔で送電され、当該駆動用電力を受電した受電装置１０２は送電装置１０１へ応答通知を送信する。次いで、送電制御部２０３は、応答通知を受信すると（ステップＳ３０２でＹＥＳ）、送電先の受電装置として受電装置１０２を検知したと判断する。これにより、送電装置１０１及び受電装置１０２の間で、無線給電を行うための通信（以下、「無線給電用通信」という。）の接続が確立する。次いで、送電制御部２０３は、送電通信部２０８を制御して受電装置１０２に当該受電装置１０２に関する情報（以下、「受電装置情報」という。）の送信を要求する受電装置情報の送信要求通知を送信する（ステップＳ３０３）。受電装置情報は、受電装置１０２のデータ通信で用いられる通信プロトコルのバージョン情報等を含む。次いで、送電制御部２０３は、受電装置１０２から受電装置情報を受信したか否かを判別する（ステップＳ３０４）。
【００２８】
ステップＳ３０４の判別の結果、受電装置１０２から受電装置情報を受信しないとき、送電制御部２０３は、本処理を終了する。一方、ステップＳ３０４の判別の結果、受電装置１０２から受電装置情報を受信したとき、送電制御部２０３は送電通信部２０８を制御して送電装置１０１に関する各種情報を受電装置１０２に送信する（ステップＳ３０５）。以下、送電装置１０１に関する各種情報を送電装置情報として説明する。送電装置情報は、送電装置１０１のデータ通信で用いられる通信プロトコルのバージョン情報等を含む。次いで、送電制御部２０３は送電通信部２０８を制御して受電装置１０２に当該受電装置１０２の充電情報の送信を要求する充電情報の送信要求通知を送信する（ステップＳ３０６）。充電情報は、受電装置１０２の充電状態を示す情報、及び受電装置１０２の受電の準備が完了したか否かを示す情報等を含む。また、充電情報は、受電装置１０２の充電状態に応じて随時更新され、受電装置１０２から一定の間隔で送信される。次いで、送電制御部２０３は、受電装置１０２から充電情報を受信したか否かを判別する（ステップＳ３０７）。
【００２９】
ステップＳ３０７の判別の結果、受電装置１０２から充電情報を受信しないとき、送電制御部２０３は、本処理を終了する。一方、ステップＳ３０７の判別の結果、受電装置１０２から充電情報を受信したとき、送電制御部２０３は、ＲＯＭ２０４に予め格納された実行許可情報に基づいて複数の受電装置への同時充電が許可されているか否かを判別する（ステップＳ３０８）。本実施の形態では、無線給電を行う際、表示操作部２０９に表示される図４の設定メニュー４００を用いて実行許可情報がユーザによって予め設定される。ユーザは、設定メニュー４００の選択ボタン４０１及び選択ボタン４０２のいずれかを押下して複数の受電装置への同時充電を許可するか否かを設定し、設定された情報は実行許可情報としてＲＯＭ２０４に格納される。
【００３０】
ステップＳ３０８の判別の結果、複数の受電装置への同時充電が許可されていないとき、送電制御部２０３は、無線給電中の受電装置１０３が満充電であるか否か、つまり、受電装置１０３への無線給電が完了しているか否かを判別する（ステップＳ３０９）。
【００３１】
ステップＳ３０９の判別の結果、受電装置１０３への無線給電が完了していないとき、送電制御部２０３は、受電装置１０２への無線給電の実行を待機する（ステップＳ３１０）（無線給電制御ステップ）。次いで、送電制御部２０３は表示操作部２０９に受電装置１０２の無線給電が実行されていない旨を示すメッセージを表示する（ステップＳ３１１）。本実施の形態では、送電制御部２０３は、受電装置１０２の無線給電が実行されていない旨を示すメッセージとして、例えば、「充電中の装置があるため、充電できません。」を表示操作部２０９に表示する。その後、送電制御部２０３はステップＳ３１１の処理を実行した後にステップＳ３０９の処理に戻る。
【００３２】
ステップＳ３０９の判別の結果、受電装置１０３への無線給電が完了しているとき、送電制御部２０３は、表示操作部２０９に上記メッセージが表示されている場合、上記メッセージの表示を中止する。その後、送電制御部２０３は、受電装置１０２から送信された充電情報に基づいて受電装置１０２の受電の準備が完了したか否かを判別する（ステップＳ３１２）。
【００３３】
ステップＳ３１２の判別の結果、受電装置１０２の受電の準備が完了すると（ステップＳ３１２でＹＥＳ）、送電制御部２０３は受電装置１０２に無線給電の開始を指示する無線給電開始通知を送信する（ステップＳ３１３）。すなわち、本実施の形態では、複数の受電装置への同時充電が許可されていない場合、無線給電中の受電装置１０３が満充電となり、当該受電装置１０３への無線給電が完了した後に、新たに検知された受電装置１０２への無線給電が開始される。次いで、送電制御部２０３は、電力送電部１０５を制御して給電アンテナ部２０７から充電用電力の送電を開始する（ステップＳ３１４）。次いで、送電制御部２０３は受電装置１０２から送信された充電情報に基づいて受電装置１０２の充電が完了したか否かを判別する（ステップＳ３１５）。その後、送電制御部２０３は、受電装置１０２の充電が完了すると（ステップＳ３１５でＹＥＳ）、送電制御部２０３は充電用電力の送電を停止し（ステップＳ３１６）、本処理を終了する。
【００３４】
ステップＳ３０８の判別の結果、複数の受電装置への同時充電が許可されているとき、送電制御部２０３は、無電給電中の受電装置１０３及び受電装置１０２を合算した受電装置数が予め設定された閾値以下であるか否かを判別する（ステップＳ３１７）。閾値は、送電装置１０１からの送電が許可された受電装置の最大装置数であり、例えば、送電装置１０１が所定の送電効率を維持可能な送電可能最大装置数に該当する。本実施の形態において、閾値はＲＯＭ２０４に予め格納されている。
【００３５】
ステップＳ３１７の判別の結果、合算した受電装置数が予め設定された閾値以下であるとき、送電制御部２０３はステップＳ３１２の処理に進む。
【００３６】
ステップＳ３１７の判別の結果、合算した受電装置数が予め設定された閾値より大きいとき、送電制御部２０３は、表示操作部２０９に当該閾値を超えたため受電装置１０２への無線給電を実行できない旨を示すメッセージを表示する（ステップＳ３１８）。その後、送電制御部２０３はステップＳ３１８の処理を実行した後に本処理を終了する。
【００３７】
図５は、図１の受電装置１０２で実行される受電処理の手順を示すフローチャートである。
【００３８】
図５の処理は、受電制御部２１１がＲＯＭ２１２に格納された各種プログラムを実行することによって行われる。
【００３９】
図５において、まず、受電制御部２１１は、送電装置１０１から駆動用電力を受電すると（ステップＳ５０１でＹＥＳ）、送電装置１０１に応答通知を送信する（ステップＳ５０２）。次いで、受電制御部２１１は、送電装置１０１との無線給電用通信の接続が確立し（ステップＳ５０３でＹＥＳ）、送電装置１０１から受電装置情報の送信要求通知を受信すると、受電装置情報を送電装置１０１に送信する（ステップＳ５０４）。次いで、受電制御部２１１は、送電装置１０１から送電装置情報を受信し（ステップＳ５０５でＹＥＳ）、送電装置１０１から充電情報の送信要求通知を受信すると（ステップＳ５０６でＹＥＳ）、受電装置１０２の充電情報の送信を開始する（ステップＳ５０７）。受電装置１０２は、受電装置１０２の充電情報を随時更新し、一定の間隔で送電装置１０１に送信する。次いで、受電制御部２１１は、送電装置１０１から無線給電開始通知を受信すると（ステップＳ５０８でＹＥＳ）、送電装置１０１から送電された電力の受電を開始する（ステップＳ５０９）。受電された電力は電池２２０に充電される。受電制御部２１１は電池２２０に充電された電力量に基づいて充電情報を更新する。次いで、受電制御部２１１は、電池２２０が満充電になると（ステップＳ５１０でＹＥＳ）、充電が完了したことを示す情報に充電情報を更新し、更新された充電情報を送電装置１０１に送信する（ステップＳ５１１）。次いで、受電制御部２１１は、受電装置１０２の充電情報の送信を停止し（ステップＳ５１２）、本処理を終了する。
【００４０】
上述した図３及び図５の処理によれば、ユーザの操作によって設定される実行許可情報に基づいて送電装置１０１から、新たに検知された受電装置１０２への無線給電の実行が制御される。したがって、実行許可情報を設定する際に、該実行許可情報へユーザの意図、つまり、複数の受電装置への同時充電を行うか否かを設定することによりユーザの意図に応じた無線給電を適切に行うことができる。
【００４１】
また、上述した図３及び図５の処理によれば、実行許可情報に送電装置１０１から複数の受電装置への同時充電の実行を許可しないことが設定された場合、送電装置１０１から受電装置１０３への無線給電の実行中に受電装置１０２を新たに検知すると、送電装置１０１から受電装置１０３への無線給電の実行が完了した後に新たに検知された受電装置１０２への無線給電の実行が開始される。すなわち、受電装置１０３の無線給電の実行中に受電装置１０２への送電は実行されない。これにより、実行中の無線給電、つまり、受電装置１０３の無線給電を優先させるというユーザの意図に反する送電の実行を防止することができる。また、受電装置１０３の無線給電の実行が完了した後には新たに検知された受電装置１０２への無線給電の実行が開始されるので、新たに検知された受電装置１０２への無線給電の実行が滞ることを防止することができる。
【００４２】
以上、本発明について実施の形態を用いて説明したが、本発明は上述した実施の形態に限定されるものではない。
【００４３】
例えば、ステップＳ３１７で用いられる閾値として任意の台数を図６の台数設定メニュー６００を用いてユーザが設定してもよい（受電装置数設定ステップ）。これにより、ユーザが所望する送電効率に基づいた閾値を容易に設定することができ、もって、ユーザの利便性を向上することができる。
【００４４】
また、ステップＳ３１７において、送電制御部２０３は、合算した受電装置数が閾値より大きいと、新たに検知された受電装置１０２への無線給電の実行を保留し、その後、無線給電中の受電装置１０３が満充電となり、当該受電装置１０３への無線給電が完了すると、新たに検知された受電装置１０２への無線給電を開始してもよい。これにより、新たに検知された受電装置１０２が充電されない事態が生じるのを避けることができる。
【００４５】
上述した本実施の形態では、ステップＳ３１１で表示操作部２０９に受電装置１０２への無線給電が実行されていない旨を示すメッセージを表示しているが、当該受電装置１０２への無線給電の実行の開始期間に関する通知が行われてもよい。例えば、「受電装置１０３への無線給電が完了した後、受電装置１０２への無線給電を開始します。」のメッセージを表示操作部２０９に表示する。これにより、受電装置１０３の無線給電を優先させるというユーザの意図に反する送電の実行が行われていないことと、受電装置１０３の無線給電が完了した後に受電装置１０２への無線給電が行われることとをユーザが確実に認知することができる。
【００４６】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００４７】
１０１  送電装置
１０２，１０３  受電装置
２００  無線給電システム
２０３  送電制御部
２０９  表示操作部
【図１】
2017022794.tif 000003
【図２】
2017022794.tif 000004
【図３】
2017022794.tif 000005
【図４】
2017022794.tif 000006
【図５】
2017022794.tif 000007
【図６】
2017022794.tif 000008